(57)【特許請求の範囲】
【請求項１】
虫を誘引する刺激を発する虫誘引部と、誘引した前記虫を加熱する虫加熱装置とを備え、
前記虫誘引部は虫が着地可能な着地面を有し、表面上の虫の死骸が落下する姿勢をした部材を具備し、
前記虫加熱装置は前記部材に設けられて前記着地面を加熱する熱源部を有する補虫殺虫装置。
【請求項２】
虫を侵入させる開口部を有し前記開口部を開閉自在に遮蔽した遮蔽部材を有するケースと、このケース内に配置されて虫の着地面を有する虫誘引部と、前記ケース内に配置されてマイクロ波を発生するマイクロ波発生装置と、前記マイクロ波発生装置を作動するとき前記遮蔽部材が前記開口部を閉じ、前記マイクロ波発生装置を停止したとき前記遮蔽部材が前記開口部を開く制御手段と、前記虫誘引部の虫収集部とを備え、前記着地面は前記着地面上の虫の死骸が前記虫収集部に落下する形をしている補虫殺虫装置。
【請求項３】
虫を誘引する視覚的刺激を有する虫誘引部と、前記虫誘引部の近傍に対して赤外線を放射することにより誘引した前記虫を加熱する虫加熱装置とを備え、前記虫誘引部が光を透過する仕切りにより外部と区切られ、前記仕切りが開放される時間と閉鎖される時間をもつ補虫殺虫装置。
【発明の詳細な説明】
【０００１】
【発明の属する技術分野】
この発明は、農業、工業、商業の各分野において、昆虫を含む虫を捕獲・捕殺する捕虫殺虫装置に関するものである。
【０００２】
【従来の技術】
従来、捕虫用蛍光ランプ近傍に高圧電流が流れる金属枠を設け、金属枠に触れた虫を感電させ捕殺する電撃殺虫器や、捕虫用光源近傍に粘着性のシートを設け、シートに触れた虫を粘着剤でからめとり捕獲する粘着式捕虫器があった。
【０００３】
【発明が解決しようとする課題】
電撃殺虫器では、感電した虫の死骸は飛散する。このため死骸が作物や製品の中に混入する恐れがある上、捕殺した虫の種類や数の同定が困難である。また感電の際に大きな炸裂音が生じるが、店舗などではこの炸裂音が不快な場合がある。
【０００４】
一方の粘着式捕虫器は死骸の飛散や炸裂音はないものの、虫を捕獲するにつれて粘着可能な面積が狭くなっていく。またほこりなどで粘着力も落ちていく。このため頻繁に粘着シートを交換する必要がある。
【０００５】
したがって、この発明の目的は、炸裂音がなく、死骸の飛散がなく、捕殺した虫の同定が容易であり、また粘着シートの交換といった課題を解消することができる捕虫殺虫装置を提供することである。
【０００６】
【課題を解決するための手段】
【０００８】
請求項１記載の捕虫殺虫装置は、虫を誘引する刺激を発する虫誘引部と、誘引した前記虫を加熱する虫加熱装置とを備え、
前記虫誘引部は虫が着地可能な着地面を有し、表面上の虫の死骸が落下する姿勢をした部材を具備し、
前記虫加熱装置は前記部材に設けられて前記着地面を加熱する熱源部を有する。
【０００９】
請求項１記載の捕虫殺虫装置によれば、虫が着地可能な着地面を熱源部で加熱して、捕虫または捕殺するので、従来のように炸裂音がなく、死骸の飛散がなく、捕殺した虫の同定が容易であり、また粘着シートの交換といった課題を解消することができる。また装置を小型化しやすい。
【００１０】
請求項２記載の捕虫殺虫装置は、虫を侵入させる開口部を有し前記開口部を開閉自在に遮蔽した遮蔽部材を有するケースと、このケース内に配置されて虫の着地面を有する虫誘引部と、前記ケース内に配置されてマイクロ波を発生するマイクロ波発生装置と、前記マイクロ波発生装置を作動するとき前記遮蔽部材が前記開口部を閉じ、前記マイクロ波発生装置を停止したとき前記遮蔽部材が前記開口部を開く制御手段と、前記虫誘引部の虫収集部とを備え、前記着地面は前記着地面上の虫の死骸が前記虫収集部に落下する形をしているものである。
【００１１】
請求項２記載の捕虫殺虫装置によれば、虫加熱装置が、虫誘引部近傍に対してマイクロ波を照射することで、虫を内部から加熱し，捕虫もしくは殺虫するので、短時間で大量のエネルギーを虫に照射することができ、捕虫殺虫効率が向上する。また従来のように炸裂音がなく、死骸の飛散がなく、捕殺した虫の同定が容易であり、また粘着シートの交換といった課題を解消することができる。
【００１８】
請求項３記載の捕虫殺虫装置は、虫を誘引する視覚的刺激を有する虫誘引部と、前記虫誘引部の近傍に対して赤外線を放射することにより誘引した前記虫を加熱する虫加熱装置とを備え、前記虫誘引部が光を透過する仕切りにより外部と区切られ、前記仕切りが開放される時間と閉鎖される時間をもつものである。
【００１９】
請求項３記載の捕虫殺虫装置によれば、仕切りを設けることで仕切りの内側を高熱に保ちやすく、捕虫殺虫効果が高くなる。また外部に対する放熱量が減り、周囲の気温の上昇が抑えられる。このように仕切りを設けると、その内側は高熱に保ちやすいが虫の侵入が妨げられる。一方、開放式の場合は、虫は侵入しやすいが加熱効率は密閉式に劣る。仕切りを開閉できるようにすることで、両者の長所を場合によって使い分けることができる。また従来のように炸裂音がなく、死骸の飛散がなく、捕殺した虫の同定が容易であり、また粘着シートの交換といった課題を解消することができる。また光を透過する仕切りは、視角的刺激による誘引効果を妨げない。
【００２４】
【発明の実施の形態】
この発明の第１の実施の形態を図１および図２により説明する。すなわち、この捕虫殺虫装置は害虫防除装置であり、虫誘引部３と虫加熱装置４を有する。虫誘引部３は樋状反射板１を配した誘虫ランプ２を昆虫誘引部３の背面に配置し、ランプ光は昆虫誘引部３を透過している。虫加熱装置４として昆虫誘引部３の表面近傍にレーザ光を照射するように赤外線レーザ発振器を複数個配置している。赤外線レーザ発振器が虫加熱装置４の熱源部と熱源部からの熱を虫に加える虫加熱部を兼用している。誘虫ランプ２は、虫を誘引する視覚的な刺激を発するものとして、発光ピーク波長が365nm 近傍にある誘虫蛍光灯を用いた。昆虫誘引部３は、板状であって、石英ガラス板にサンドブラスト処理を行ったもの使用し、捕殺した昆虫が滑落し易いように、表面が水平面に対して45°の傾斜になるように配置した。
【００２５】
赤外線レーザ発振器４は、CO2 レーザ、He−Neレーザ、半導体レーザ等の赤外線を発振するレーザを用いる。この装置では、半導体レーザを用い、図２に示すように昆虫誘引部３の一側部にその側縁に沿って複数個並べレーザ光９の照射方向を他側部に向け、レーザ光９を昆虫誘引部３の表面に沿って照射する。昆虫誘引部３の他側には例えば板状の赤外レーザ光吸収部材５を設けている。そして、全体をケース６に収納している。ケース６は一側部に開口部７を設け、ケース６の底部を行動不能となった虫を受ける昆虫収集部８としている。
【００２６】
昆虫は誘虫ランプ２の光に刺激されてケース６の開口部７よりケース６内に侵入し、虫誘引部３の表面に近づき、そこでレーザ光の照射を受けて加熱され、虫誘引部３の表面に落ち、虫誘引部３の傾斜に沿って滑落し、ケース６の虫収集部８に落下収集される。
【００２７】
昆虫をはじめとする虫は体が小さいため、熱容量が小さい。たとえばミカンキイロアザミウマは、40℃の気温では４時間で大部分の雌が、45℃の気温の中では２時間で全ての雌が死滅する。またマメハモグリバエの蛹を湯に浸漬した場合、その死亡率は表１のとおりである。いずれの場合も温度が高いほど死滅に要する時間は短かくなる。
【００２８】
【表１】
0004042469.tif 000002
【００２９】
そこで光刺激やフェロモンなどの匂い刺激、音刺激などの虫を誘引する刺激を発する虫誘引部と、虫加熱装置を組み合わせ、虫誘引部の刺激で誘引された虫に加熱することで、容易に捕虫もしくは殺虫が可能である。
【００３０】
また虫加熱装置から赤外線を放射し、虫誘引部に誘引された虫に熱を加えて捕虫もしくは殺虫するので、この装置は電撃殺虫器と比較すると、虫の死骸が飛散することはない。また捕虫時の炸裂音がなく静かである。また粘着式捕虫器と比較すると、いくら虫を捕殺しても捕殺能力が落ちないため、メンテナンスの頻度が大幅に減少する。さらに赤外線源は安全性に優れ、制御しやすい。
【００３１】
この発明の第２の実施の形態を図３により説明する。すなわち、この捕虫殺虫装置は、樋状反射板１を配した誘虫ランプ２と、パラボラ反射鏡１０を配したハロゲンランプ１１からなる複数の虫加熱装置４を、昆虫誘引部３の上方に配置し、虫誘引部３を樋状反射板１および誘虫ランプ２に対向して開口部７を間にして下方に配置し、ランプ光を開口部７の外部に反射している。パラボラ反射鏡１０は開口を虫誘引部３の表面に向け、ハロゲンランプ１１の光を虫誘引部３の表面に照射している。ハロゲンランプ１１のパラボラ反射鏡１０はアルミニウム基材で形成し、反射面はアルマイト処理をした。誘虫ランプ２は、発光ピーク波長が365nm 近傍にある誘虫蛍光灯を用いた。昆虫誘引部３は、鋼板に耐熱白色塗装（シリコン樹脂系）したものを使用し、捕殺した昆虫が、滑落し易いように、水平面に対して30°の傾斜になるように配置した。
【００３２】
本実施の形態は赤外線レーザ発振器に代えてハロゲンランプを使用するものであり、その他は第１の実施の形態と同様である。
【００３３】
この発明の第３の実施の形態を図４により説明する。すなわち、この捕虫殺虫装置は、樋状反射板１を配した誘虫ランプ２を昆虫誘引部３の背面に配置し、樋状反射板１３を配した赤外線ランプ１４を、昆虫誘引部３の上方に配置している。赤外線ランプ反射板１３は集光光学系すなわち断面が楕円の樋状の反射板で、表面にクロムメッキ処理を施した物を使用した。赤外線ランプ１４はコルツヒータを用いたカーボンランプである。赤外線ランプ１４は反射板１３の第１の焦点に配置し、第２の焦点を昆虫誘引部３の表面の近傍にすると、反射板１３を反射した光は第２の焦点を通過するので第２の焦点の位置に近づく虫が最も加熱される。誘虫ランプは、発光ピーク波長が365nm 近傍にある誘虫蛍光灯を用いた。昆虫誘引部３は、石英ガラスにサンドブラスト処理を行ったもの使用し、捕殺した昆虫が、滑落し易いように、水平面に対して45°の傾斜になるように配置している。
【００３４】
本実施の形態は赤外線レーザ発振器に代えて赤外線ランプを使用するものであり、その他は第１の実施の形態と同様である。
【００３５】
この発明の第４の実施の形態を図５により説明する。すなわち、この捕虫殺虫装置は、第３の実施の形態において、反射板１を配した誘虫ランプ２と、反射板１３を配した赤外線ランプ１４を、昆虫誘引部３の上方に配置している。赤外線ランプ反射板１３は断面が楕円の樋状の反射板で、表面にクロムメッキ処理を施した物を使用している。また赤外線ランプ１４はコルツヒータを用いている。赤外線ランプ１４は、タイマで９分消灯、１分点灯するように設定した。誘虫ランプ２は、発光ピーク波長が365nm 近傍にある誘虫蛍光灯を用いた。昆虫誘引部３は、鋼板に耐熱白色塗装（シリコン樹脂系）したものを使用し、捕殺した昆虫が、滑落し易いように水平面に対して45°の傾斜になるように配置している。
【００３６】
その他は第３の実施の形態と同様である。
【００３７】
この発明の第５の実施の形態を図６から図８により説明する。すなわち、この捕虫殺虫装置は、断面が楕円の樋状の反射板１を配した誘虫ランプ２を、昆虫誘引部３の上方に配置する。虫加熱装置４として、昆虫誘引部３の表面近傍に沿ってレーザ光を照射するように赤外線レーザ発振器１６の少なくとも１個を昆虫誘引部３の一側部の一端に配置するとともに、レーザ光を反射するミラー１７、１８を両側に相対向させて２枚配置し、図７に示すようにレーザ光２０をミラー１７、１８間で往復反射させる。昆虫誘引部３は、鋼板に耐熱白色塗装（シリコン樹脂系）したものを使用し、捕殺した昆虫が、滑落し易いように水平面に対して45°の傾斜になるように配置した。赤外線レーザは半導体レーザを使用して設計した。またレーザ発振器１６はレーザ光が、0 ＜tan θ≦Ｉｉ／2Lになるように配置される。ここで、L は対向する２つのミラー１７、１８の距離、Ｉｉは昆虫の大きさ、θはミラー１７、１８の垂線に対するレーザ光のなす入射および反射の角度である。ミラー１７、１８の材質は、赤外線を反射するものであり、クロムメッキ板、光学多層膜によるホットミラー等がある。この装置では、クロムメッキ板を用いた。これにより、ミラー１７、１８の間にある昆虫は必ずレーザ光を照射され加熱される。その他第１の実施の形態と共通する。
【００３８】
この発明の第６の実施の形態を図９により説明する。すなわち、この捕虫殺虫装置は、断面が楕円の一部分の形状をした樋状の反射板１を配した誘虫ランプ２を昆虫誘引部３の上方に配置し、虫加熱装置４として例えばマグネトロン２１を用いたマイクロ波発生装置を使用するものである。誘虫ランプ２は、発光ピーク波長が365nm 近傍にある誘虫蛍光灯を用いた。昆虫誘引部３は、鋼板に耐熱白色塗装（シリコン樹脂系）したものを使用した。装置の外殻を構成するケース６は、マイクロ波が漏えいしないように鋼板で形成し開口部７以外の全体を覆う。また、開口部７をパンチングメタル２２等の遮蔽部材で開閉自在に被覆し、モータ２３により開閉する構成とする。これによりマグネトロン２１が作動する時には、マイクロ波が漏えいしないパンチングメタル２２で開口部７が遮蔽される。マグネトロン２１は装置の内部の昆虫誘引部３の上方に配置する。マグネトロン２１のON/ OFF はタイマで制御する。
【００３９】
したがって、マグネトロン２１がオフの間開口部７が開き、誘虫ランプ２のランプ光により虫を開口部７よりケース６内に誘引し、タイマによりマグネトロン２１をオンにするときモータ２３を作動してパンチングメタル２２で開口部７を閉じ、ケース６内でマイクロ波により虫を加熱し、虫誘引部３上に落下させ、滑落して虫収集部８に集める。
【００４０】
その他第１の実施の形態と共通する。
【００４１】
この発明の第７の実施の形態を図１０により説明する。すなわち、この捕虫殺虫装置は、昆虫誘引部３の表面上に虫を誘引する光を発する微小な点光源として紫外線発光ダイオード（LED ）２５を配置し、反射板１３を配した赤外線ランプ１４を、昆虫誘引部３の上方に配置している。紫外線発光ダイオード２５の点灯により虫を刺激してケース６内に虫を誘引し、赤外線ランプ１４により加熱する。
【００４２】
赤外線ランプ反射板１３は断面が楕円の樋状の反射板で、表面にクロムメッキ処理を施した物を使用した。赤外線ランプ１４はカーボンランプを用いた。昆虫誘引部３は、鋼板に耐熱白色塗装（シリコン樹脂系）したものを使用し、捕殺した昆虫が、滑落し易いように、水平面に対して45°の傾斜になるように配置した。その他、第１の実施の形態と共通する。
【００４３】
この発明の第８の実施の形態を図１１および図１２により説明する。すなわち、この捕虫殺虫装置は、断面が楕円の一部分の形状をした樋状の反射板１を配した誘虫ランプ２を、昆虫誘引部３の上方に配置する。昆虫誘引部３はアルミナセラミックス板を用い、その表面に図のように溝を形成し、その溝に沿ってヒータ線例えばニクロム線２７を配置し、ニクロム線２７は図１２に示すようにタイマ２８によりタイマ制御で通電する。また、捕殺した昆虫が、滑落し易いように、昆虫誘引部３を水平面に対して45°の傾斜になるように配置した。
【００４４】
誘虫ランプ２に誘引された虫は昆虫誘引部３に着地するときニクロム線２７により加熱される。すなわち虫誘引部３の近傍の着地面が虫加熱部となっている。加熱された虫は虫誘引部３を滑落し、虫収集部８に落下する。その他第１の実施の形態と共通する。
【００４５】
この発明の第９の実施の形態を図１３および図１５により説明する。すなわち、この捕虫殺虫装置は、断面が楕円の一部分の形状をした樋状の反射板１を配した誘虫ランプ２を、昆虫誘引部３の上方に配置する。昆虫誘引部３はシートヒータを用い、虫の着地面となる表面に顔料として硫酸バリウムを添加した白色のシリコン系塗料３０を塗布し、着地面を熱源部および加熱部とした。シートヒータには図１４に示すように電源Ｅが接続される。また、捕殺した昆虫が、滑落し易いように、水平面に対して60°の傾斜になるように配置した。その他第８の実施の形態と共通する。
【００４６】
この発明の第１０の実施の形態を図１６および図１７により説明する。すなわち、この捕虫殺虫装置は、断面が楕円の一部分の形状をした樋状の反射板１を配した誘虫ランプ２を昆虫誘引部３の上方に配置する。昆虫誘引部３は白色のホウロウ板を使用し、背面に熱源部として電磁加熱装置を配置して、着地面を加熱部とする虫加熱装置４を兼用した構造である。また昆虫誘引部３は捕殺した昆虫が滑落し易いように、水平面に対して60°の傾斜になるように配置した。電磁加熱装置は、図１７（ａ）に示すように騒音が小さく、効率の良い高周波方式を選定した。交流電源Ｅに整流回路３２を接続し交流を整流し、整流回路３２の出力端にインバータ３３を接続して２２〜２３ｋＨｚ前後の高周波に変換して高周波磁界発生コイル３４に供給する。電磁加熱装置のON／OFF は、タイマで制御した。その他第９の実施の形態と共通する。
【００４７】
この発明の第１１の実施の形態を図１８および図１９により説明する。すなわち、この捕虫殺虫装置は、断面が楕円の一部分の形状をした樋状の反射板１を配した誘虫ランプ２を昆虫誘引部３の上方に配置し、断面が楕円の一部分の形状をした樋状の反射板１３を配した赤外線ランプ１４を昆虫誘引部３の背面に配置している。赤外線ランプ１４および反射板１３からの赤外線が昆虫誘引部３を透過して赤外線により昆虫誘引部３に接近する虫を加熱する。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。昆虫誘引部３は図１９に示すように石英ガラス板３６を用い、捕殺した昆虫が滑落し易いように、水平面に対して60°の傾斜になるように配置した。石英ガラス板３６の表面には、365nm を中心に300nm 〜500nm の領域の光を反射する光学多層膜３７を形成している。誘虫ランプ２からの光が光学多層膜３７により反射し、その反射光がケース６の開口部７を通して効率よく放射し、誘虫効果を発揮する。また昆虫誘引部３の傾斜を急勾配とすることにより行動不能になった虫が自重で滑落しやすくなる。その他は第３の実施の形態と共通する。
【００４８】
この発明の第１２の実施の形態を図２０により説明する。すなわち、この捕虫殺虫装置は、断面が楕円の一部分の形状をした樋状の反射板１を配した誘虫ランプ２と断面が楕円の一部分の形状をした樋状の反射板１３を配した赤外線ランプ１４を昆虫誘引部３の上方に配置している。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。昆虫誘引部３は、鋼板に耐熱白色塗装（シリコン樹脂系）したものを使用し、捕殺した昆虫が滑落し易いように、水平面に対して60°の傾斜になるように配置した。その他第４の実施の形態と同様である。
【００４９】
この発明の第１３の実施の形態を図２１により説明する。すなわち、この捕虫殺虫装置は、断面が楕円の一部分の形状をした樋状の反射板１を配した誘虫ランプ２を昆虫誘引部３の背面に配置し、断面が楕円の一部分の形状をした樋状の反射板１３を配した赤外線ランプ１４を昆虫誘引部３の上方に配置している。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。昆虫誘引部３はサンドブラスト処理した石英ガラス板を用い、捕殺した昆虫が滑落し易いように、水平面に対して略90°の傾斜になるように配置した。その他第１１の実施の形態と共通する。
【００５０】
この発明の第１４の実施の形態を図２２により説明する。すなわち、この捕虫殺虫装置は、断面が楕円の一部分の形状をした樋状の反射板１を配した誘虫ランプ２を昆虫誘引部３の内部上方に配置する。昆虫誘引部３は、石英ガラスで断面がＶの字になるようにし、内部に白色反射板４０を配置する。石英ガラスの外表面は、昆虫が滑落し易いように、平滑のまま使用する。赤外線ランプ１４は、断面が楕円の一部分の形状をした樋状の反射板１３を配して、昆虫誘引部３の下方に昆虫誘引部３に向けて配置する。また、昆虫誘引部３から滑落した昆虫が溜まらないように赤外線ランプ１４の前面に逆Ｖの字のカバーガラス４１を配置する。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。またケース６は昆虫誘引部３の両側面にそれぞれ開口部７を形成し、底部を虫収集部８としている。
【００５１】
反射板１の一方の焦点に位置する誘虫ランプ２の光は反射板１を反射して他方の焦点上にある白色反射板４０に入射し、白色反射板４０の反射光は昆虫誘引部３を透過して開口部７より外部に放射する。この光に刺激されて昆虫が開口部７より虫誘引部３に近づく。一方、赤外線ランプ１４の赤外線は直接または反射板１３を反射しカバーガラス４１を透過して昆虫誘引部３の表面に入射し、昆虫を加熱する。加熱により行動不能になった昆虫は自重により落下しカバーガラス４１の表面を滑落し昆虫収集部８に落下する。その他第１３の実施の形態と共通する。
【００５２】
この発明の第１５の実施の形態を図２３により説明する。すなわち、この捕虫殺虫装置は、断面が楕円の一部分の形状をした樋状の反射板１を配した誘虫ランプ２を昆虫誘引部３の上方に配置する。昆虫誘引部３は、石英ガラス４３で断面が逆Ｖの字になるようにし、図２３（ｂ）に示すように表面に、硫酸バリウムを白色顔料として配合した白色の耐熱塗膜４４を形成する。赤外線ランプ１４は、断面が楕円の一部分の形状をした樋状の反射板１３を配して、昆虫誘引部３の下方内部に配置する。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。ケース６は昆虫誘引部３の両側面に対向する開口部７を形成し、底部に昆虫収集部８を形成している。
【００５３】
誘虫ランプ２からの光は昆虫誘引部３の表面を反射して開口部７より外部に放射し誘虫する。昆虫は昆虫誘引部３の表面に集まってくる。一方赤外線ランプ１４からの赤外線が昆虫誘引部３の石英ガラス板４３を透過し耐熱塗膜４４を加熱し、表面に着地した昆虫を加熱し、行動不能になった虫は昆虫誘引部３を滑落し、昆虫収集部８に落下する。その他は第１４の実施の形態と同様である。
【００５４】
この発明の第１６の実施の形態を図２４により説明する。すなわち、この捕虫殺虫装置は、断面が楕円の一部分の形状をした樋状の反射板１を配した誘虫ランプ２と断面が楕円の一部分の形状をした樋状の反射板１３を配した赤外線ランプ１４を昆虫誘引部３の下方に配置する。両方のランプ２、１４の反射板１、１３には、捕殺した昆虫が反射板１、１３の内部に入らないようにかつ滑落するように透光部材である例えば石英ガラスを用いた前面ガラス４６を傾斜姿勢に装着する。昆虫誘引部３は、鋼板に耐熱白色塗装（シリコン樹脂系）したものを使用し、ランプ２、１４に対向して配置する。赤外線ランプ反射板１３は表面にクロムメッキ処理を施した物を使用した。赤外線ランプ１４はカーボンランプを用いた。誘虫ランプ２は、発光ピーク波長が365nm 近傍にある誘虫蛍光灯を用いた。
【００５５】
一方ケース６は開口部７を側面部と上面部にまたがるように形成し、昆虫誘引部３を開口部７の奥上側に開口部７に向けて下向き傾斜の姿勢で位置し、前面ガラス４６は開口部７の近傍の下側に昆虫誘引部３に略対向するように位置し、その背面側にランプ２、１４を配置している。昆虫収集部８は前面ガラス４６よりも奥側で前面ガラス４６の傾斜の下端側に隣接している。
【００５６】
したがって、誘虫ランプ２の光が前面ガラス４６を透過し昆虫誘引部３を反射して開口部７より外部に出光し誘虫する。虫は昆虫誘引部３に向けて開口部７より侵入し、昆虫誘引部３に接近または着地すると赤外線ランプ１４の赤外線を受けて加熱され、行動不能になって落下し昆虫収集部８に直接または前面ガラス４６より滑落して収集される。
【００５７】
この発明の第１７の実施の形態を図２５により説明する。すなわち、この捕虫殺虫装置は、断面が楕円の一部分の形状をした樋状の反射板１を配した誘虫ランプ２と断面が楕円の一部分の形状をした樋状の反射板１３を配した赤外線ランプ１４を昆虫誘引部３の上方のケース６の上端部に下向きに配置する。昆虫誘引部３は、鋼板に耐熱白色塗装（シリコン樹脂系）したものを使用し、開口部７の奥側に傾斜姿勢で位置し上端４９をケース６の背面部に例えばヒンジなどにより回動自在に取付けられ、ケース６に支持されたばね４８で昆虫誘引部３を押し上げて、その下端部をケース６の前面部の開口部７の下側に当接し、ケース６の下端部に形成した昆虫収集部８を密閉する。誘虫ランプ２は、発光ピーク波長が365nm 近傍にある誘虫蛍光灯を用いた。この光が昆虫誘引部３を反射して開口部７の外部に出光し誘虫する。赤外線ランプ反射板１３は、表面にクロムメッキ処理を施した物を使用した。赤外線ランプ１４はコルツヒータを用いた。赤外線ランプ１４は、タイマで９分消灯、１分点灯するように設定し、昆虫誘引部３の表面に集まった昆虫を加熱する。タイマの制御により赤外線ランプ１４が点灯した後の消灯直後に、ケース６に設けた電磁開閉装置５０が作動して昆虫誘引部３の下部が開くように昆虫誘引部３をばね４８に抗して引き寄せ、これにより捕殺した昆虫が昆虫誘引部３を昆虫収集部８に滑落する。その後電磁開閉装置５０を停止し、ばね４８により昆虫誘引部３を閉じる。
【００５８】
この発明の第１８の実施の形態を図２６により説明する。これは第１７の実施の形態に光電センサ５２を付加したものである。すなわち、この捕虫殺虫装置は、断面が楕円の一部分の形状をした樋状の反射板１を配した誘虫ランプ２と断面が楕円の一部分の形状をした樋状の反射板１３を配した赤外線ランプ１４を昆虫誘引部３の上方に配置する。赤外線ランプ反射板１３は、表面にクロムメッキ処理を施した物を使用した。昆虫誘引部３は、鋼板に耐熱白色塗装（シリコン樹脂系）したものを使用し、上端を可動にし、ばね４８で昆虫誘引部３を押し上げて、昆虫収集部８を密閉する。開口部７の外側の縁部に光電センサ５２を配置して、誘虫された昆虫を検知する。赤外線ランプ１４はコルツヒータを用いた。誘虫ランプ２は、発光ピーク波長が365nm 近傍にある誘虫蛍光灯を用いた。通常は、誘虫ランプのみ点灯しているが、開口部７から昆虫が侵入すると、光電センサ５２が検知して、赤外線ランプ１４を点灯し、タイマ制御により所定時間後に電磁開閉装置５０が働き、昆虫誘引部３が一定時間開いて、捕殺した昆虫は、昆虫収集部８へ滑落する。その後、電磁開閉装置５０により昆虫誘引部３が閉じ、赤外線ランプ１４は消灯する。
【００５９】
この発明の第１９の実施の形態を図２７により説明する。第１７の実施の形態の電磁開閉装置およびばねに代えてバイメタルを使用したものである。すなわち、この捕虫殺虫装置は、断面が放物線の形状をした樋状の反射板１を配した誘虫ランプ２と断面が放物線の形状をした樋状の反射板１３を配した赤外線ランプ１４を昆虫誘引部３の上方に配置する。反射板１、１３は放物線のため焦点位置にランプ２、１４が位置することにより光軸に平行な反射光となる。赤外線ランプ反射板１３は表面にクロムメッキ処理を施した物を使用した。昆虫誘引部３は、鋼板に耐熱白色塗装（シリコン樹脂系）したものを使用し、上端をケース６の背面部にバイメタル支持体５５を介してバイメタル５４で、赤外線ランプ１４側を固定する。バイメタル５４は、赤外線照射により加熱されてその温度が上昇すると、赤外線ランプ１４側が、その反対側よりも伸びるように、すなわち昆虫誘引部３が開くように配置する。
【００６０】
赤外線ランプ１４は、タイマで所定の時間間隔で一定時間点灯するように設定する。したがって、消灯中に虫が誘虫ランプ２により開口部７を通して昆虫誘引部３に集まり、赤外線ランプ１４が点灯すると昆虫誘引部３の昆虫が加熱され行動不能となるとともに、バイメタル５４が加熱され次第に変形して、昆虫誘引部３が想像線のように開き、昆虫が昆虫誘引部３を滑落して昆虫収集部８に落下する。タイマ制御で赤外線ランプ１４が消灯するとバイメタル５４が自然冷却されもとの形状にもどると同時に昆虫誘引部３が昆虫収集部８を閉じる。赤外線ランプ１４はカーボンヒータを用いた。誘虫ランプ２は、発光ピーク波長が365nm 近傍にある誘虫蛍光灯を用いた。
【００６１】
この発明の第２０の実施の形態を図２８により説明する。第１７の実施の形態の誘虫ランプ２に代えて匂い刺激剤であるフェロモン剤を設けている。すなわち、この捕虫殺虫装置は、断面が放物線の形状をした樋状の反射板１３を配した赤外線ランプ１４を昆虫誘引部３の上方のケース６の上端部に下向きに配置する。ランプ反射板１３は、表面にクロムメッキ処理を施した物を使用した。昆虫誘引部３は、赤外吸収部を兼ね、鋼板に黒色の赤外線吸収塗料を塗布したものを使用し、開口部７の奥側で赤外線ランプ１４に向けて傾斜姿勢でケース６に固定し、下端部とケース６の前面部との間に虫収集部８に虫を落下させるための隙間５８を形成した。昆虫誘引部３の上端に誘引部材としてフェロモン剤５７を配置した。赤外線ランプ１４は、タイマで所定の時間間隔で一定時間点灯するように設定する。赤外線ランプ１４の熱は、誘引した昆虫の捕殺とフェロモン剤５７の蒸散に利用される。赤外線ランプ１４はカーボンヒータを用いた。この実施の形態では誘虫ランプ３がない分小型化可能である。
【００６２】
この発明の第２１の実施の形態を図２９により説明する。第２０の実施の形態のフェロモン剤に代えて昆虫誘引部３の表面に視覚的刺激として昆虫を誘引する模様を施したものである。すなわち、この捕虫殺虫装置は、断面が放物線の形状をした樋状の反射板１３を配した赤外線ランプ１４を昆虫誘引部３の上方に配置する。ランプ反射板１３は、表面にクロムメッキ処理を施した物を使用した。昆虫誘引部３は、鋼板に白色塗装し、その上に、花柄の模様６０を形成した。赤外線ランプ１４はカーボンヒータを用い、タイマで所定の時間間隔で一定時間点灯するように設定した。
【００６３】
昆虫は昆虫誘引部３の模様６０に誘引されて昆虫誘引部３に近づき、赤外線により加熱される。
【００６４】
この発明の第２２の実施の形態を図３０から図３２により説明する。第５の実施の形態において、昆虫誘引部３に接近または着地した昆虫を検知する光電センサ６２、６３からなる光電スイッチを設けたものである。
【００６５】
すなわち、この捕虫殺虫装置は、断面が楕円の樋状の反射板１を配した誘虫ランプ２を、昆虫誘引部３の上方に配置する。昆虫誘引部３の表面近傍にレーザ光を照射するように赤外線レーザ発振器１６を少なくとも１個を配置するとともに、レーザ光を反射するミラー１７、１８を対向させて２枚配置する。昆虫誘引部３は、鋼板に耐熱白色塗装（シリコン樹脂系）したものを使用し、捕殺した昆虫が、滑落し易いように、水平面に対して45°の傾斜になるように配置した。赤外線レーザは半導体レーザを使用して設計した。図３２に示すように、レーザ光が、0 ＜t a n θ≦Ii／2Lになるようにレーザ発振器１６を配置する。ここで、Lは対向する2 つのミラー１７、１８間の距離、liは昆虫の大きさ、θはミラー１７、１８の垂線に対するレーザ光のなす角度である。ミラー１７、１８の材質は、赤外線を反射するものであり、クロムメッキ板、光学多層膜によるホットミラー等がある。この装置では、クロムメッキ板を用いた。また、光電スイッチとしてレーザ発振器１６に並列に光電スイッチの発光部６２を配置し、ミラー１７、１８の反射光の終端側に光電スイッチの受光部６３を配置している。この場合、光電スイッチの発光部６２から出射する検知光がレーザ光と平行になるように、光電スイッチの発光部６２を配置する。これにより、昆虫誘引部３の昆虫を検知して、昆虫誘引部３に昆虫がいる時だけ、レーザ光を発振するようにすることができる。
【００６６】
この発明の第２３の実施の形態を図３３により説明する。第１７の実施の形態の電磁開閉装置に代えて排気ファンを設けている。すなわち、この捕虫殺虫装置は、断面が楕円の一部分の形状をした樋状の反射板１を配した誘虫ランプ２と断面が楕円の一部分の形状をした樋状の反射板１３を配した赤外線ランプ１４を昆虫誘引部３の上方に配置する。赤外線ランプ反射板１３は表面にクロムメッキ処理を施した物を使用した。昆虫誘引部３は、鋼板に耐熱白色塗装（シリコン樹脂系）したものを使用し、上端を可動にし、ばね４８で昆虫誘引部３を押し上げて、昆虫収集部８を密閉する。昆虫誘引部３の裏側の昆虫収集部８の上方に排気ファン６５を設置し、排気ファン６５と昆虫収集部８との間に虫が通らない大きさの孔のある多孔板例えばメッシュ６６を配置し、かつ、排気ファン６５の排気側に対向してケース６の背面部に排気口６７を形成している。排気ファン６５はタイマを使用して所定時間間隔で、電磁開閉装置と同様なタイミングにより、一定時間作動させる。排気ファン６５が作動すると昆虫収集部８の内部が負圧となり、昆虫誘引部３が想像線のように開き、捕殺した昆虫が昆虫収集部８に吸引される。その時、昆虫誘引部３の下端部はメッシュ６６の端部に当たって、吸引される空気はメッシュ６６を通過するようになり、収集した昆虫は、排気ファン６５には吸引されない。赤外線ランプ１４はカーボンヒータを用いた。誘虫ランプ２は、発光ピーク波長が365nm 近傍にある誘虫蛍光灯を用いた。その他は第１７の実施の形態と同様である。
【００６７】
この発明の第２４の実施の形態を図３４により説明する。すなわち、この捕虫殺虫装置は、虫誘引部３と、熱源部７０および熱源部７０の熱で虫を加熱する反射板で構成した虫加熱部７１を有する虫加熱装置７２とで構成している。虫誘引部３で虫７３を誘引し、虫加熱部７１で加熱し行動不能にする。
【００６８】
この発明の第２５の実施の形態を図３５により説明する。すなわち、この捕虫殺虫装置は、虫加熱装置７２の熱源部７０である赤外線源から赤外線を放射し、虫誘引部３に誘引された虫に虫加熱部７１により熱を加えて捕虫または殺虫する。赤外線源は安全性に優れ制御しやすい。
【００６９】
またケース６により虫誘引部３と虫加熱装置７２が一体になっていることにより、装置全体を小型化しやすく設置が容易になる。
【００７０】
さらにケース６の底部に、捕獲もしくは捕殺した虫を集める虫収集部８を備えることにより、行動不能もしくは熱死ぬした虫が入るようにすることで、周辺に虫の死骸などを放置することなく外観に優れる。
【００７１】
この発明の第２６の実施の形態を図３６により説明する。すなわち、この捕虫殺虫装置は、熱源部（赤外線源）７０が放つ赤外線を、熱源部７０とレンズや反射板などの集光光学系７１とで構成した加熱装置により虫が誘引される場所に集める。これにより、より小さな出力の赤外線源でも高い捕虫・殺虫能力が得られる。
【００７２】
この発明の第２７の実施の形態を図３７により説明する。すなわち、この捕虫殺虫装置は、赤外線源を備えた熱源部７０と集光光学系７１を備えた虫加熱装置を有し、虫誘引部３は微小な点光源を備え、集光光学系７１はこの点光源に赤外線を集光するように設置される。点光源が発する光刺激に誘引され点光源にとりついた虫は、集光光学系７１で集められた赤外線の照射を受けて行動不能に陥るか熱死する。点光源にすることで、虫が誘引される位置を狭い範囲に限定することができ、赤外線を集光する場所を特定できる。
【００７３】
この発明の第２８の実施の形態を図３８により説明する。すなわち、この捕虫殺虫装置は、虫加熱装置７２から放射された赤外線は虫を加熱するとともに、虫誘引部３の近傍の着地面８０も加熱する。この着地面８０に赤外線吸収材５が設置されていると、虫誘引部３の近傍は効率的に熱せられ、高温を保つことになる。このため誘引された虫は赤外線の直射によって加熱されるとともに、着地面８０からも熱を伝えられ、虫に与える熱量が増加する。よってより短時間で行動不能もしくは熱死させることができる。
【００７４】
この発明の第２９の実施の形態を図３９により説明する。すなわち、この捕虫殺虫装置は、虫誘引部３を設けた部材８１に熱源部７０を埋設して虫誘引部３の周辺の着地面８０を熱源部７０より伝熱して加熱する虫加熱部７４としている。これにより虫誘引部３にひかれて着地した虫に対して虫加熱部７４により加熱し、捕虫もしくは殺虫することができる。この実施の形態によれば、虫誘引部３と虫加熱部７４を一体化するため、装置を小型化しやすい。
【００７５】
この発明の第３０の実施の形態を図４０により説明する。すなわち、この捕虫殺虫装置は、虫加熱装置７２が虫誘引部３の近傍に対してマイクロ波を照射するマイクロ波源を有するものとし、虫をマイクロ波により内部から加熱し捕虫もしくは殺虫する。マイクロ波を発生するときケース６の開口部７はマイクロ波を遮蔽する遮蔽部材８３で閉じられるように遮蔽部材８３を開閉自在に設けている。この実施の形態によれば、短時間で大量のエネルギーを虫に照射することができ、捕虫殺虫効率が向上する。
【００７６】
この発明の第３１の実施の形態を図４１により説明する。すなわち、この捕虫殺虫装置は、火炎放射装置が虫加熱装置７２として設置され、虫誘引部３の近傍に向けて火炎８５を放ち、引き寄せられた虫を焼き払う。この実施の形態によれば、確実に虫に対して加熱し、殺虫することができる。また死骸がほとんど残らないためメンテナンス回数を激減できる。
【００７７】
この発明の第３２の実施の形態を図４２により説明する。すなわち、この捕虫殺虫装置は、虫誘引部３の近傍が行動不能もしくは死んだ虫が自重で滑落しやすい構成とすることで、虫誘引部３に捕虫した虫や死骸などが蓄積せず、誘引効果や加熱力が減退しないようにしたものである。
【００７８】
図４２（ａ）は虫誘引部３をケース６の開口部７の奥側に傾斜して設けている。図４２（ｂ）は虫誘引部３を垂直面にしている。図４２（ｃ）は虫誘引部３を上端部に設け開口部７を間にして虫加熱部７１を虫誘引部３に向けて下方に設けている。
【００７９】
この発明の第３３の実施の形態を図４３により説明する。すなわち、この捕虫殺虫装置は、虫誘引部３および集光光学系７１と熱源部７０とを有する虫加熱装置７２がともに仕切り８７により外部とほぼ区切られているものである。開口部７に仕切り８７を設けると、仕切り８７を閉じた状態で加熱ができ、仕切り８７の内側を高熱に保ちやすく、虫加熱装置７２による捕虫・殺虫効果が高くすることができる。また外部に対する放熱量が減り、周囲の気温の上昇を低く抑えることができる。
【００８０】
また仕切り８７は開口部７を開放する時間と閉鎖する時間をもつものである。仕切り８７を設けると、その内側は高熱に保ちやすいが虫の侵入が妨げられる。しかし開口部７の開放式の場合は、虫は侵入しやすいが加熱効率は密閉式に劣る。そこで、仕切り８７を公知の手段で開閉できるようにすることで、両者の長所を場合によって使い分けることができる。
【００８１】
さらに、一例としてつぎの動作を繰り返す。すなわち、第１に、虫誘引部３が稼働するとともに仕切り８７が開放され、虫加熱装置７２は稼働を停止する。第２に、十分な数の虫が誘引されたのち、仕切り８７が閉じられ、虫加熱装置７２は稼働を開始する。第３に、誘引された虫が虫収集部８等に死滅ないし捕獲された後、第１の状態に戻る。このように、仕切り８７の開放時は専ら虫の誘引を行い、十分な数の虫が侵入したところでタイマなどにより仕切り８７を閉じ、虫加熱装置７２は仕切り８７の閉じ動作に連動して加熱を開始する。その結果、仕切り８７の開閉と虫加熱装置７２の稼働を連動させることで高い捕殺効果を保ちつつ、消費電力もしくは燃料などを減らすことができる。
【００８２】
なお、熱源部７０も仕切り８７の内部に入れることで装置を小型化しやすい。
【００８３】
この発明の第３４の実施の形態を図４４により説明する。すなわち、この捕虫殺虫装置は、第３３の実施の形態において、仕切り８７に穴９０やスリットなど虫の出入り可能な開口を設けたものである。虫はこれらを介して内部に侵入できるので、仕切り８７を可動にしなくてもよくなり、低コストで密閉式の利点を得られる。
【００８４】
さらに、虫誘引部３が虫を誘引する効果を持つ臭気源や音源を備えるものとすれば、仕切り８７によって誘引効果が妨げられにくい。
【００８５】
この発明の第３５の実施の形態を図４５により説明する。すなわち、この捕虫殺虫装置は、第３３の実施の形態において、虫誘引部３が視覚的刺激を備え、仕切り８７が光を透過する構成にしている。このようにすると、仕切り８７は視覚的刺激による誘引効果を妨げない。
【００８６】
この発明の第３６の実施の形態を図４６により説明する。すなわち、この捕虫殺虫装置は、室９１内に虫誘引部３と虫加熱装置７２を分離して設けている。虫誘引部３が小さくなるため、誘引効果が最適になるような位置に虫誘引部３を配置できる。虫加熱装置７２についても加熱効果が最も高くなるように配置できる。また虫誘引部３を単純にできるため、外観に優れる。
【００８７】
さらに虫加熱装置７２が稼働する時間と停止する時間を持つようにし、常に加熱するのではなく、捕殺効果の高い場合にのみ虫加熱装置７２が稼働するようにすることで、消費電力もしくは燃料などのランニングコストを減らすことができる。
【００８８】
この発明の第３７の実施の形態を図４７により説明する。すなわち、この捕虫殺虫装置は、虫収集部８に目の粗さの異なる網９５〜９７が、虫が取り込まれる方向から目の粗さが順次細かくなるように階層的に設置されている。３は虫誘引部、６はケース、７は開口部、７２は加熱装置である。網の目の大きさによって捕虫・殺虫した虫が選別されるため、虫の同定が容易になる。
【００８９】
この発明の第３８の実施の形態を図４８により説明する。すなわち、この捕虫殺虫装置は、ケース６の外側面に虫誘引部３を設け、その周囲に熱源部７０を埋設しかつその表面を虫加熱部７４とする虫加熱装置７２を設け、さらに外側面の下部に虫収集部８を設け、虫収集部８に蓋１００を備えている。蓋１００は虫が通る隙間を形成するか、定期的に開閉する構成にする。虫収集部８が蓋１００を備えることで捕獲した虫が外部に逃げない。また外部から捕獲した虫や死骸などが見えないため外観に優れる。
【００９０】
なお上記実施の形態および図面中、同一符号は共通の機能を有する。
【００９１】
【発明の効果】
【００９２】
請求項１記載の捕虫殺虫装置によれば、虫が着地可能な着地面を熱源部で加熱して、捕虫または捕殺するので、従来のように炸裂音がなく、死骸の飛散がなく、捕殺した虫の同定が容易であり、また粘着シートの交換といった課題を解消することができる。また装置を小型化しやすい。
【００９３】
請求項２記載の捕虫殺虫装置によれば、虫加熱装置が、虫誘引部近傍に対してマイクロ波を照射することで、虫を内部から加熱し，捕虫もしくは殺虫するので、短時間で大量のエネルギーを虫に照射することができ、捕虫殺虫効率が向上する。また従来のように炸裂音がなく、死骸の飛散がなく、捕殺した虫の同定が容易であり、また粘着シートの交換といった課題を解消することができる。
【００９７】
請求項３記載の捕虫殺虫装置によれば、仕切りを設けることで仕切りの内側を高熱に保ちやすく、捕虫殺虫効果が高くなる。また外部に対する放熱量が減り、周囲の気温の上昇が抑えられる。このように仕切りを設けると、その内側は高熱に保ちやすいが虫の侵入が妨げられる。一方、開放式の場合は、虫は侵入しやすいが加熱効率は密閉式に劣る。仕切りを開閉できるようにすることで、両者の長所を場合によって使い分けることができる。また従来のように炸裂音がなく、死骸の飛散がなく、捕殺した虫の同定が容易であり、また粘着シートの交換といった課題を解消することができる。また光を透過する仕切りは、視角的刺激による誘引効果を妨げない。
【００９８】
請求項８記載の捕虫殺虫装置によれば、請求項１と同様な効果のほか、常に加熱するのではなく、捕殺効果の高い場合にのみ虫加熱装置が稼働するようにすることで、消費電力もしくは燃料などのランニングコストを減らすことができる。
【００９９】
請求項９記載の捕虫殺虫装置によれば、請求項１と同様な効果のほか、行動不能もしくは熱死した虫が入るようにすることで、周辺に虫の死骸などを放置することなく、外観に優れる。
【図面の簡単な説明】
【図１】この発明の第１の実施の形態の概略斜視図である。
【図２】その昆虫誘引部の平面図である。
【図３】第２の実施の形態の概略斜視図である。
【図４】第３の実施の形態の概略斜視図である。
【図５】第４の実施の形態の概略斜視図である。
【図６】第５の実施の形態の概略斜視図である。
【図７】その昆虫誘引部の平面図である。
【図８】レーザ光の方向を示す説明図である。
【図９】第６の実施の形態の概略斜視図である。
【図１０】第７の実施の形態の概略斜視図である。
【図１１】第８の実施の形態の概略斜視図である。
【図１２】その昆虫誘引部の説明図である。
【図１３】第９の実施の形態の概略斜視図である。
【図１４】その昆虫誘引部の平面図である。
【図１５】その側面図である。
【図１６】第１０の実施の形態の概略斜視図である。
【図１７】（ａ）は虫加熱装置の構成図、（ｂ）は昆虫誘引部の断面図である。
【図１８】第１１の実施の形態の概略斜視図である。
【図１９】昆虫誘引部３の側面図である。
【図２０】第１２の実施の形態の概略斜視図である。
【図２１】第１３の実施の形態の概略斜視図である。
【図２２】第１４の実施の形態の概略斜視図である。
【図２３】（ａ）は  第１５の実施の形態の概略斜視図、（ｂ）は昆虫誘引部の側面図である。
【図２４】第１６の実施の形態の概略斜視図である。
【図２５】第１７の実施の形態の概略斜視図である。
【図２６】第１８の実施の形態の概略断面図である。
【図２７】第１９の実施の形態の概略断面図である。
【図２８】第２０の実施の形態の概略断面図である。
【図２９】第２１の実施の形態の概略斜視図である。
【図３０】第２２の実施の形態の概略斜視図である。
【図３１】その昆虫誘引部の説明図である。
【図３２】レーザ光の方向を説明する説明図である。
【図３３】第２３の実施の形態の概略断面図である。
【図３４】第２４の実施の形態の説明図である。
【図３５】第２５の実施の形態を示し、（ａ）は概略斜視図、（ｂ）は概略断面図である。
【図３６】第２６の実施の形態を示し、（ａ）は概略斜視図、（ｂ）は概略断面図である。
【図３７】第２７の実施の形態を示し、（ａ）は概略斜視図、（ｂ）は概略断面図である。
【図３８】第２８の実施の形態を示し、（ａ）は概略斜視図、（ｂ）は概略断面図である。
【図３９】第２９の実施の形態を示し、（ａ）は概略斜視図、（ｂ）は概略断面図である。
【図４０】第３０の実施の形態を示す概略斜視図である。
【図４１】第３１の実施の形態を示す概略斜視図である。
【図４２】第３２の実施の形態を示す概略断面図である。
【図４３】第３３の実施の形態を示し、（ａ）は概略斜視図、（ｂ）は概略断面図である。
【図４４】第３４の実施の形態を示し、（ａ）は概略斜視図、（ｂ）は概略断面図である。
【図４５】第３５の実施の形態を示し、（ａ）は概略斜視図、（ｂ）は概略断面図である。
【図４６】第３６の実施の形態を示す概略斜視図である。
【図４７】第３７の実施の形態を示し、（ａ）は概略断面図、（ｂ）は虫収集部の説明図である。
【図４８】第３８の実施の形態を示し、（ａ）は概略斜視図、（ｂ）は概略断面図である。
【符号の説明】
１    反射板
２    誘虫ランプ
３    虫誘引部
４    虫加熱装置
５    赤外レーザ吸収部材
６    ケース
７    開口部
８    虫収集部
１３    赤外線ランプ
１４    赤外線ランプ反射板
２１    マグネトロン
７０    熱源部
７１    虫加熱部
７２    虫加熱装置
８５    火炎
８７    仕切り
【図１】
0004042469.tif 000003
【図２】
0004042469.tif 000004
【図３】
0004042469.tif 000005
【図４】
0004042469.tif 000006
【図５】
0004042469.tif 000007
【図６】
0004042469.tif 000008
【図７】
0004042469.tif 000009
【図８】
0004042469.tif 000010
【図９】
0004042469.tif 000011
【図１０】
0004042469.tif 000012
【図１１】
0004042469.tif 000013
【図１２】
0004042469.tif 000014
【図１３】
0004042469.tif 000015
【図１４】
0004042469.tif 000016
【図１５】
0004042469.tif 000017
【図１６】
0004042469.tif 000018
【図１７】
0004042469.tif 000019
【図１８】
0004042469.tif 000020
【図１９】
0004042469.tif 000021
【図２０】
0004042469.tif 000022
【図２１】
0004042469.tif 000023
【図２２】
0004042469.tif 000024
【図２３】
0004042469.tif 000025
【図２４】
0004042469.tif 000026
【図２５】
0004042469.tif 000027
【図２６】
0004042469.tif 000028
【図２７】
0004042469.tif 000029
【図２８】
0004042469.tif 000030
【図２９】
0004042469.tif 000031
【図３０】
0004042469.tif 000032
【図３１】
0004042469.tif 000033
【図３２】
0004042469.tif 000034
【図３３】
0004042469.tif 000035
【図３４】
0004042469.tif 000036
【図３５】
0004042469.tif 000037
【図３６】
0004042469.tif 000038
【図３７】
0004042469.tif 000039
【図３８】
0004042469.tif 000040
【図３９】
0004042469.tif 000041
【図４０】
0004042469.tif 000042
【図４１】
0004042469.tif 000043
【図４２】
0004042469.tif 000044
【図４３】
0004042469.tif 000045
【図４４】
0004042469.tif 000046
【図４５】
0004042469.tif 000047
【図４６】
0004042469.tif 000048
【図４７】
0004042469.tif 000049
【図４８】
0004042469.tif 000050